(57)【要約】【課題】従来の人工歯と同等以上の耐摩耗性及び審美性を持ち、隣接歯を切削すること無くレジン製接着材料で隣接歯と接着して短時間で直接ブリッジを形成することが可能なブリッジ用人工歯様補綴物を提供する。【解決手段】レジン材料により構成され、歯頚部粘膜より口腔内側の歯に近似した形状を成した１歯又は連結された２〜４歯から成り、両端の隣接面に凹部１ａが形成してブリッジ用人工歯様補綴物１とする。そして、天然歯におけるエナメル質に略相当する厚さだけ唇面側が存在しない部分や天然歯におけるエナメル質に略相当する厚さだけ咬合面側が存在しない部分を設けてもよい。【選択図】        図１
2004329656.tif 000002
【特許請求の範囲】
【請求項１】
レジン材料により構成され、歯頚部粘膜より口腔内側の歯に近似した形状を成しており、両側の隣接面に凹部（１ａ）が形成されていることを特徴とするブリッジ用人工歯様補綴物（１）。
【請求項２】
レジン材料により構成され、歯頚部粘膜より口腔内側の歯に近似した形状を成した２〜４歯が連結されており、両端の隣接面に凹部（１ａ）が形成されていることを特徴とするブリッジ用人工歯様補綴物（１）。
【請求項３】
天然歯におけるエナメル質に略相当する厚さだけ唇面側が存在しない部分（１ｂ）が設けられている請求項１又は２に記載のブリッジ用人工歯様補綴物（１）。
【請求項４】
天然歯におけるエナメル質に略相当する厚さだけ咬合面側が存在しない部分（１ｃ）が設けられている請求項１ないし３の何れか１項に記載のブリッジ用人工歯様補綴物（１）。
【発明の詳細な説明】
【０００１】
【発明の属する技術分野】
本発明は、従来の人工歯と同等以上の耐摩耗性及び審美性を持ち、隣接歯を切削すること無くレジン製接着材料で隣接歯と接着して短時間で直接ブリッジを形成することが可能なブリッジ用人工歯様補綴物に関するものである。
【０００２】
【従来の技術】
従来、両側に隣接歯が存在する状態で歯根も存在しない状態に歯牙が喪失した症例に於いて、ブリッジと言われる歯の形態を模した歯科用補綴物を口腔外で作製して患者の隣接歯を介してその治療部位に固定する治療方法が行われている。このブリッジを固定する方法としては、隣接歯を切削してクラスプと呼ばれる歯科用補綴物に付けられたバネ性を有する維持装置を隣接歯に嵌める方法と、隣接歯を大きく切削して形成した支台にブリッジを接着固定する治療方法とが広く行われている。このとき、天然歯に近似した審美性が要求される症例の場合には、レジン前装ブリッジや陶材焼付ブリッジやオールセラミックブリッジなどのブリッジが用いられている。
【０００３】
このように従来のブリッジと言われる治療方法においては、隣接歯が健全である場合であっても多少の切削が必要となるため、患者の負担が大きかった。
【０００４】
特に最も一般的に実施されている前記した後者の歯科用補綴物を隣接歯に接着固定する場合であっては、これらのブリッジと言われる歯科用補綴物を製作する前に、その隣接歯が略完全な形状である歯を支台とするために、その隣接歯を術者がタービンなどで裁頭円錐形状に近似した形状に削り出す作業が必要である。この支台は歯科用補綴物が直接接着固定される部分であるから、この支台を形成する作業は以後に作製される歯科用補綴物の形状や構造を考慮しながら慎重に行わなければならない作業であるので熟練と時間とを要する作業であった。
【０００５】
かくして支台の形成を行った後は、患者の口腔内からこの支台を含む部分の印象（歯牙の陰型）を採得し、更にこの印象から石膏模型（歯牙の複製）を作製し、この石膏模型に基づいて以下のようにして歯科用補綴物が作製されている。
【０００６】
レジン前装ブリッジ，陶材焼付ブリッジの場合は、ロストワックス鋳造法により、先ず石膏模型上にワックスを用いてコア部の蝋型を作製し、この蝋型を耐火埋没材中に埋没させ、耐火埋没材が硬化した後に電気炉中に入れ加熱して蝋型を焼却させ、得られた鋳型に金属を鋳造し、この鋳造物を耐火埋没材から掘り出した後に切削・研磨して金属コア部を作製し、この金属コア部の外面に歯冠用硬質レジンを築盛・重合させるか又は陶材を築盛・焼成することによって作製されている。また、オールセラミックブリッジの場合は、耐火模型材を用いて複模型を作製し、この複模型上に陶材を築盛・焼成した後、耐火複模型を除去し、形態修正・研磨を行うことによって作製されている。
【０００７】
このように歯科用補綴物の作製作業は、口腔内形状や作製部位が患者一人一人によって異なるばかりでなく、数μｍ単位の極めて高い寸法精度が要求される複雑な作業であるため多大な時間と熟練とが必要であった。即ち、最終的に患者の口腔内に歯科用補綴物が固定されるまでの治療期問が長いため、患者に対して費用及ぴ苦労を強いることになっていたのである。更に、歯科用補綴物の作製作業を歯科医院等の治療を行う治療所とは別の歯科技工所等で行う間接法であるため、熟練者が作製した歯科用補綴物であっても完壁な精度の歯科用補綴物が得られることは殆ど無いのが現状であった。また間接法であるため、作製した歯科用補綴物の色調が隣接歯と完全に合わないなどの問題もあった。
【０００８】
【発明が解決しようとする課題】
そこで、本発明はかかる従来の欠点を解消し、歯根も存在しない状態に歯牙が喪失した症例に於いて、健全な隣接歯を切削する必要もなく、従来のように以後に作製される歯科用補綴物の形状や構造を考慮しながら慎重に支台の形成を行う必要が無いと共に、印象採得による石膏模型の作製や口腔外で間接的な歯科用補綴物を作製する必要も無く、隣接歯との色調も合致した状態に治療所内のみで短時間で歯科用補綴物の形成を可能とするブリッジ用人工歯様補綴物を提供することを課題とする。
【０００９】
【課題を解決するための手段】
本発明者等はかかる課題を解決すべく鋭意研究を行った結果、歯頚部粘膜より口腔内側の歯に近似した人工歯様の形状を成すようにレジン材料により構成され、その両側の隣接面に凹部が形成されたブリッジ用人工歯様補綴物であれば、その凹部に低粘性の歯科用コンポジットレジンなどの光重合性又は常温重合性のレジン製接着性材料を適用して隣接面と接着固定すれば、従来のように健全な隣接歯を切削して以後に作製される歯科用補綴物の形状や構造を考慮しながら慎重に支台に形成する必要が無く、印象採得による石膏模型の作製や口腔外で間接的な歯科用補綴物を作製する必要も無く、治療所内のみで直接短時間でブリッジを作製することが可能となることを究明して本発明を完成したのである。
【００１０】
即ち本発明は、レジン材料により構成され、歯頚部粘膜より口腔内側の歯に近似した形状を成しており、両側の隣接面に凹部が形成されていることを特徴とするブリッジ用人工歯様補綴物と、複数歯のブリッジを作製する場合に好適な、レジン材料により構成され、歯頚部粘膜より口腔内側の歯に近似した形状を成した２〜４歯が連結されており、両端の隣接面に凹部が形成されていることを特徴とするブリッジ用人工歯様補綴物とに関するものである。
【００１１】
そして、天然歯におけるエナメル質に略相当する厚さだけ唇面側が存在しない部分が設けられている態様であれば、隣接歯との色調の調整を行うことができるので審美的な面から好適であり、また天然歯におけるエナメル質に略相当する厚さだけ咬合面側が存在しない部分が設けられている態様であれば隣接歯との色調の調整を行うことができるので審美的な面から好適であるばかりでなく患者に最も適した理想的な咬合面を作製することができるから好ましいことも見出したのである。
【００１２】
【発明の実施の形態】
以下、図面により本発明に係るブリッジ用人工歯様補綴物について詳細に説明する。
図１は本発明に係る大臼歯用のブリッジ用人工歯様補綴物の１実施例の斜視図、図２は図１の平面図、図３は本発明に係る小臼歯用のブリッジ用人工歯様補綴物の１実施例の平面図、図４は本発明に係る前歯用のブリッジ用人工歯様補綴物の１実施例の斜視図、図５は本発明に係る小臼歯用のブリッジ用人工歯様補綴物の他の実施例の斜視図、図６は本発明に係る小臼歯用のブリッジ用人工歯様補綴物の他の実施例の斜視図、図７は本発明に係る前歯用のブリッジ用人工歯様補綴物の更に他の実施例の斜視図、図８は２歯が連結された本発明に係るブリッジ用人工歯様補綴物の１実施例の斜視図である。
【００１３】
図面中、１は本発明に係るレジン材料により構成されたブリッジ用人工歯様補綴物であり、このレジン材料は一般的には不飽和二重結合を持つ重合可能な化合物と重合触媒との混合物の重合体から成り、更に充填材が入る場合もあり、従来の人工歯用の材料が制限無く利用できるが、充填材が入っていると従来の硬質レジンと称される歯科用レジン材料と同様であるため従来の硬質レジン歯の特徴、即ち耐摩耗性及び審実性が高い特徴を与えることができる。
【００１４】
更に詳しくは、この本発明に係るブリッジ用人工歯様補綴物１を構成するレジン材料は、一般的にコンポジットレジンや硬質レジンと呼ばれている重合性モノマーにガラス粉末やアエロジルなどの充填材を含む歯科用レジン材料である。このレジン材料はその色調が歯牙に近似しているので、接着の際に余剰分が生じた場合なども簡単に除去又は重合後に研磨するだけてそのまま使用可能である。また、このレジン材料は必要に応じて接着性モノマーを含む接着性を有する歯科用レジン材料であったり、支台築造用レジン材料であったりしてもよいのは勿論である。
【００１５】
本発明に係るブリッジ用人工歯様補綴物１は、歯頚部粘膜より口腔内側の歯に近似した形状を成しており、両側の隣接面に隣接歯にレジン材料を用いて接着されるための凹部１ａが形成されていることを特徴とするものであり、この凹部１ａに適用された光重合性又は常温重合性のレジン製接着性材料が確実に隣接歯と接着させブリッジとして固定されるのである。その形態としては、例えば図１及び図２に示す如く大臼歯用であったり、図３，図５及び図６に示す如く小臼歯用であったり、図４及び図７に示す如く前歯用であったり、図８に示す如く２〜４歯が連結されていたりする形態があり、図８に示す如く２〜４歯が連結されている態様の場合には両端の隣接面に凹部１ａが形成されている。
【００１６】
このような種々の形態において、図５に示すように隣接面に凹部１ａが形成されていると共に天然歯におけるエナメル質に略相当する厚さだけ唇面側（対象とする歯が臼歯である場合には頬側面側）が存在しない部分１ｂが設けられている形態とすることにより、コンポジットレジンなどのレジン材料によってブリッジ用人工歯様補綴物の唇面側を作製することにより隣接歯と色調を合わせることが容易に行えるのである。このブリッジ用人工歯様補綴物の隣接歯の唇面側を作製する作業は、天然歯におけるエナメル質に略相当する厚さだけであるから、築盛するレジン材料が少量で良い利点がある。
【００１７】
また、図６に示すように隣接面に凹部１ａが形成されていると共に天然歯におけるエナメル質に略相当する厚さだけ咬合面側（対象とする歯が前歯である場合には切縁側）が存在しない部分１ｃが設けられている形態とすることにより、前述のようにコンポジットレジンなどのレジン材料によってブリッジ用人工歯様補綴物の咬合面側を作製することにより隣接歯と色調を合わせることが容易に行えるという利点に加えて、理想的な咬合が得られるように咬合面を調整することが可能となる。このブリッジ用人工歯様補綴物の隣接歯の咬合面側を作製する作業は、天然歯におけるエナメル質に略相当する厚さだけであるから、築盛するレジン材料が少量で良い利点がある。
【００１８】
更に、図７に示すように隣接面に凹部１ａが形成されていると共に天然歯におけるエナメル質に略相当する厚さだけ唇面側（対象とする歯が臼歯である場合には頬側面側）が存在しない部分１ｂ及び切縁側（対象とする歯が臼歯である場合には咬合面側）が存在しない部分１ｃが設けられている形態としてもよい。
【００１９】
このような本発明に係るブリッジ用人工歯様補綴物１を使用するには、両側に隣接歯が存在する状態で歯根も存在しない状態に歯牙が喪失した部位に適する本発明に係るブリッジ用人工歯様補綴物１を選択してその歯牙が喪失した部位の歯頚部粘膜の口腔内側に配置し、隣接面に形成されている凹部１ａに歯科用コンポジットレジンなどのレジン製材料、好ましくは歯牙の充填に用いられているコンポジットレジンと比較して低粘度組成のコンポジットレジンを適用して隣接歯の隣接面と接着・固定するという直接口腔内で行う作業のみで前歯や犬歯や臼歯又はそれらを含む複数の歯牙状のブリッジが作製できるのである。
【００２０】
そして、本発明に係るブリッジ用人工歯様補綴物１が天然歯におけるエナメル質に略相当する厚さだけ唇面側（対象とする歯が臼歯である場合には頬側面側）が存在しない部分１ｂが設けられている形態や、天然歯におけるエナメル質に略相当する厚さだけ咬合面側（対象とする歯が前歯である場合には切縁側）が存在しない部分１ｃが設けられている形態の場合には、コンポジットレジンなどのレジン材料によってブリッジ用人工歯様補綴物の唇面側を作製して隣接歯と色調を合わせたり、理想的な咬合が得られるように咬合面を調整したりすればよいのである。
【００２１】
このように本発明に係るブリッジ用人工歯様補綴物１を使用すれば、従来のように以後に作製されるブリッジの形状や構造を考慮しながら慎重に支台歯などの支台の形成を行う必要が無いと共に、印象の採得や石膏模型の作製や口腔外でブリッジを作製するという間接的な作業も必要が無く、治療所内のみで短時間で歯科用補綴物の形成が可能になるのである。
【００２２】
【発明の効果】
以上に詳述したように本発明に係るブリッジ用人工歯様補綴物は、歯根も存在しない状態に歯牙が喪失して歯科用補綴物の作製が必要な場合において、健全な隣接歯を切削する必要も無く、従来のように以後に作製される歯科用補綴物の形状や構造を考慮しながら慎重に支台の形成を行う必要も無いので患者に与える負担を最小限にできると共に、印象採得による石膏模型の作製や口腔外で間接的な歯科用補綴物を作製する必要も無く、治療所内のみで短時間で隣接歯との色調も合致した歯科用補綴物の形成を可能とするものであり、その歯科治療に貢献する価値は非常に大きなものである。
【図面の簡単な説明】
【図１】本発明に係る大臼歯用のブリッジ用人工歯様補綴物の１実施例の斜視図である。
【図２】図１の平面図である。
【図３】本発明に係る小臼歯用のブリッジ用人工歯様補綴物の１実施例の平面図である。
【図４】本発明に係る前歯用のブリッジ用人工歯様補綴物の１実施例の斜視図である。
【図５】本発明に係る小臼歯用のブリッジ用人工歯様補綴物の他の実施例の斜視図である。
【図６】本発明に係る小臼歯用のブリッジ用人工歯様補綴物の他の実施例の斜視図である。
【図７】本発明に係る前歯用のブリッジ用人工歯様補綴物の更に他の実施例の斜視図である。
【図８】２歯が連結された本発明に係るブリッジ用人工歯様補綴物の１実施例の斜視図である。
【符号の説明】
１  ブリッジ用人工歯様補綴物
１ａ  凹部
１ｂ  唇面側が存在しない部分
１ｃ  咬合面側が存在しない部分
【図１】
2004329656.tif 000003
【図２】
2004329656.tif 000004
【図３】
2004329656.tif 000005
【図４】
2004329656.tif 000006
【図５】
2004329656.tif 000007
【図６】
2004329656.tif 000008
【図７】
2004329656.tif 000009
【図８】
2004329656.tif 000010